(57)【要約】【課題】シーブに対してロープを容易に掛け渡すことができるエレベータのつり合いおもりを提供する。【解決手段】エレベータのつり合いおもり１０はロープ５が掛け渡されるシーブ１と、シーブ１をシーブシャフト１ａを介して支持する上梁と、上梁２に連結される一対のたて枠３、３とを備えている。シーブ１は一方側においてシーブシャフト１ａにより上梁２に片持ち状態で支持されている。シーブ１の他方側は開放し、この開放されたシーブ１の他方側からロープ５がたて枠３、３内に挿入され、シーブ１に掛け渡される。【選択図】  図３
2004338898.tif 000002
【特許請求の範囲】
【請求項１】
ロープが掛け渡されるシーブと、
前記シーブをシーブシャフトを介して支持する上梁と、
前記上梁に連結されるとともに、おもりを保持する一対のたて枠とを備え、
前記シーブは前記上梁に前記シーブシャフトを介して一方側から片持ち支持されることを特徴とする上エレベータのつり合いおもり。
【請求項２】
ローブが掛け渡されるシーブと、
前記シーブをシーブシャフトを介して支持するとともに平行に延びる一対の上梁と、
各上梁に連結されるとともに、おもりを保持する一対のたて枠とを備え、
前記シーブは一対の上梁にシーブシャフトを介して両側から支持され、
前記一対の上枠のうち一方は、プレートを介して一対のたて枠に連結されることを特徴とするエレベータのつり合いおもり。
【請求項３】
前記ロープが掛け渡される前記シーブは２個設置されていることを特徴とする請求項１または２のいずれか記載のエレベータのつり合いおもり。
【請求項４】
前記上梁上に前記シーブを覆うカバーを設けたことを特徴とする請求項１または２のいずれか記載のエレベータのつり合いおもり。
【発明の詳細な説明】
【０００１】
【発明の属する技術分野】
本発明は、トラクション式のエレベータ装置に用いられるとともにロープが掛け渡されるエレベータのつり合いおもりに係り、とりわけロープの掛け渡し作業を容易に行なうことができるエレベータのつり合いおもりに関する。
【０００２】
【従来の技術】
従来よりエレベータのつり合いおもりとして、図８乃至図１０に示すものが知られている。図８乃至図１０において、つり合いおもり１０は、ロープが掛け渡されるシーブ１と、シーブ１をシーブシャフト１ａを介して支持する一対の上梁２、２と、この上梁２、２に連結されるとともにおもりを保持する一対のたて枠３、３とを備えている。
【０００３】
この場合、シーブ１のシーブシャフト１ａは上梁２、２に挿着され、さらにシーブシャフト１ａはキープレート７により固定されている。また上梁２、２は、たて枠３、３にボルト４を用いて固定されている。
【０００４】
図８乃至図１０において、シーブ１にロープを掛け渡す際、まずボルト４を取外し、一方の上梁２をたて枠３、３からフリーの状態とする。次に上梁２側のキープレート７をシーブシャフト１ａから取外し、上梁２を回転させる（図１０）。
【０００５】
このようにして上梁２とたて枠３、３との間の隙間からローブをシーブ１側へ挿入し、ロープをシーブ１に掛け渡たす。
【０００６】
【発明が解決しようとする課題】
上述のように、シーブ１にロープを掛け渡す場合、上梁２側のキープレート７をシーブシャフト１ａから取外し、その後キープレート７をシーブシャフト１ａに装着する必要がある。キープレート７をシーブシャフト１ａに装着する場合、位置決め調整を行なう必要があるため、キープレート７の装着作業は容易でなく、ロープの掛け渡し作業に長時間かかるのが実情である。
【０００７】
また、ロープが掛け渡されるシーブが２個設けられている場合、上梁２の回転は不可能となるので、ロープの掛け渡し作業はより困難となる。
【０００８】
本発明はこのような点を考慮してなされたものであり、ロープの掛け渡し作業をより簡単に行なうことができるエレベータのつり合いおもりを提供することを目的とする。
【０００９】
【課題を解決するための手段】
本発明は、ロープが掛け渡されるシーブと、シーブをシーブシャフトを介して支持する上梁と、上梁に連結されるとともに、おもりを保持する一対のたて枠とを備え、シーブは上梁にシーブシャフトを介して一方側から片持ち支持されることを特徴とする上エレベータのつり合いおもりである。
【００１０】
本発明は、ローブが掛け渡されるシーブと、シーブをシーブシャフトを介して支持するとともに平行に延びる一対の上梁と、各上梁に連結されるとともに、おもりを保持する一対のたて枠とを備え、シーブは一対の上梁にシーブシャフトを介して両側から支持され、一対の上枠のうち一方は、プレートを介して一対のたて枠に連結されることを特徴とするエレベータのつり合いおもりである。
【００１１】
本発明は、ロープが掛け渡されるシーブは２個設置されていることを特徴とするエレベータのつり合いおもりである。
【００１２】
本発明は、上梁上にシーブを覆うカバーを設けたことを特徴とするエレベータのつり合いおもりである。
【００１３】
【発明の実施の形態】
第１の実施の形態
以下、図面を参照して本発明の第１の実施の形態について説明する。
【００１４】
図１乃至図３は本発明によるエレベータのつり合いおもりの第１の実施の形態を示す図である。
【００１５】
図１乃至図３に示すように、エレベータのつり合いおもり１０はロープが掛け渡されるシーブ１と、シーブ１をシーブシャフト１ａを介して支持する上梁２と、上梁２に連結されるとともに、おもり９を支持する一対のたて枠３、３とを備えている。
【００１６】
このうち上梁２はボルト４により一対のたて枠３、３に固定され、またおもり９はボルト８により一対のたて枠３、３に固定されている。
【００１７】
シーブ１は上梁２にシーブシャフト１ａを介して一方側から片持ち支持されており、シーブ１の他方側には上梁２は設けられておらず開放されている。またシーブ１を支持する上梁２側において、シーブシャフト１ａにキープレート７が嵌込まれている。
【００１８】
次にこのような構成からなる本実施の形態の作用について説明する。
【００１９】
シーブ１にロープ５を新たに掛け渡す場合、シーブ１のうち他方側の開放スペースから複数本のロープ５をまとめて一対のたて枠３、３に挿入する。その後、一対のたて枠３、３内のシーブ１にロープ５を下方から掛け渡す。
【００２０】
本実施の形態によれば、複数本のロープ５をまとめて一対のたて枠３、３内にスムースに挿入することができ、その後、たて枠３、３内のシーブ１に下方からロープ５をまとめて掛け渡すことができる。このため、ロープ５の掛け渡し作業を行なう場合、シーブシャフト１ａからキープレート７を取外すことなく、容易かつ簡単にロープ５の掛け渡し作業を行なうことができる。
【００２１】
次に図４乃至図６により本発明の第４の実施の形態について説明する。
【００２２】
図４乃至図６に示す第２の実施の形態は、シーブ１をシーブシャフト１ａを介して一対の上梁２、２により両持ち状態で支持するとともに、これら上梁２、２を一対のたて枠３、３に連結したものである。図４乃至図６において、図１乃至図３に示す第１の実施の形態と同一部分には、同一符号を符して詳細な説明は省略する。
【００２３】
図４および図５に示すように、一対の上梁２、２は互いに平行に配置され、一対の上梁２は一対のたて枠３、３にボルト４により直接固定されている。また他方の上梁２は、一対のたて枠３、３にスペーサとして機能するプレート６を介してボルト４により連結されている。
【００２４】
図４および図５において、シーブ１にロープ５を掛け渡す場合、まず一方のプレート６側のボルト４を上梁２から取外し、プレート６を上梁２とたて枠３との間から引き抜く。次にこの状態でプレート６が引き抜かれた上梁２とたて枠３との間から一方側のロープ５を一対のたて枠３、３内に挿入する。
【００２５】
その後、一方のプレート６を上梁２とたて枠３との間に挿入して、ボルト４を締め付ける。次に他方のプレート６側のボルト４を上梁２から取外し、プレート６を上梁２とたて枠３との間から引き抜き、この状態で上梁とたて枠３との間から他方側のロープ５を一対のたて枠３、３内に挿入する。
【００２６】
このようにして、シーブシャフト１ａからキープレート７を取外すことなく、ロープ５をシーブ１に容易に掛け渡すことができる。
【００２７】
図４において、シーブ１にロープ５を掛け渡す場合、一対のたて枠３、３から上梁２を完全に取外す必要はない。このためシーブ１にロープ５を掛け渡す場合、つり合いおもり１０の上梁２にチェーンブロック１２のチェーン１２ａを引掛けてつり合いおもり１０全体を吊すことが可能となる。このためつり合いおもり１０をチェーンブロックにより保持することにより、エレベータの昇降枠内において、つり合いおもり１０をどの高さ位置にももっていくことができる。
【００２８】
このため図６に示すように、ロープ５駆動用の巻上シーブ１１ａを有する巻上機１１の高さ位置まで、乗りかごＢとつり合いおもり１０をもってくることができる。この場合、巻上機１１の巻上シーブ１１ａ、乗りかご８の乗りかごシーブ９およびつり合いおもり１０のシーブ１を同一高さ位置に配置することにより、ロープ５をこれら巻上シーブ１１ａ、乗りかごシーブ９およびつり合いおもり１０のシーブ１に容易かつ簡単に掛け渡すことができる（図６）。
【００２９】
次に図７により、本発明の第３の実施の形態について説明する。
【００３０】
図７に示す第２の実施の形態は、ロープ５か掛け渡されるシーブ１を２個設けるとともに、これらシーブ１をシーブシャフト１ａを介して一対の上梁２により両持ち状態で支持したものである。またこれら一対の上梁２、２は一対のたて枠３、３により連結されるとともに、互いに平行に配置されている。
【００３１】
図７において、図４乃至図６に示す第２の実施の形態と同一部分には同一符号を符して詳細な説明は省略する。
【００３２】
一対の上梁２、２のうちの一方の上梁２は一対のたて枠３、３にボルト４により直接固定されている。また他方の上梁２は、一対のたて枠３、３にプレート６を介してボルト４により連結されている。
【００３３】
さらに一対の上梁２、２には、２個のシーブ１を上方から覆うカバー１５が設けられている。
【００３４】
図７において、シーブ１にロープ５を掛け渡す場合、図４乃至図６に示す第２の実施の形態と同様、一方のプレート６を取外し、取外したプレート６の隙間から一方側ロープ５を一対のたて枠３、３に挿入する。次に他方のプレート６を取外し、取外したプレート６の隙間から他方側のロープ５を一対のたて枠３、３内に挿入する。
【００３５】
このようにしてロープ５をシーブ１に容易に掛け渡すことができる。
【００３６】
【発明の効果】
以上説明したように、本発明によれば、キープレートをシーブシャフトから取外すことなく、シーブに対してロープを掛け渡すことができる。このためロープの掛け渡し作業の効率化を図ることができる。
【図面の簡単な説明】
【図１】本発明によるエレベータのつり合いおもりの第１の実施の形態を示す概略図。
【図２】本発明によるエレベータのつり合いおもりの第１の実施の形態を示す平面図。
【図３】本発明によるエレベータのつり合いおもりの第１の実施の形態を示す斜視図。
【図４】本発明によるエレベータのつり合いおもりの第２の実施の形態を示す平面図。
【図５】本発明によるエレベータのつり合いおもりの第２の実施の形態を示す正面図。
【図６】本発明によるエレベータのつり合いおもりの第２の実施の形態を示す平面図。
【図７】本発明によるエレベータのつり合いおもりの第３の実施の形態を示す斜視図。
【図８】従来のエレベータのつり合いおもりを示す平面図。
【図９】従来のエレベータのつり合いおもりの作用を示す斜視図。
【図１０】従来のエレベータのつり合いおもりの作用を示す斜視図。
【符号の説明】
１  シーブ
１ａ  シーブシャフト
２  上梁
３  たて枠
４  ボルト
５  ロープ
６  プレート
７  キープレート
８  ボルト
９  おもり
１０  つり合いおもり
１１  巻上機
１１ａ  巻上機シーブ
１２  チェーンブロック
１２ａ  チェーン
【図１】
2004338898.tif 000003
【図２】
2004338898.tif 000004
【図３】
2004338898.tif 000005
【図４】
2004338898.tif 000006
【図５】
2004338898.tif 000007
【図６】
2004338898.tif 000008
【図７】
2004338898.tif 000009
【図８】
2004338898.tif 000010
【図９】
2004338898.tif 000011
【図１０】
2004338898.tif 000012